(57)【要約】  【課題】  本発明は、本体から分離された再生装置において録画予約設定を行うことができる映像記録再生装置を提供することを目的とする。  【解決手段】  再生装置２において録画予約設定を行って、録画予約情報が再生装置２のメモリに格納されると、記録装置１に再生装置２が接続されて、録画予約情報が記録装置１に転送されるまで、ユーザに警告表示が成される。【選択図】      図１
2005286537.tif 000002
【特許請求の範囲】
【請求項１】
コンテンツを格納するメモリと該メモリで格納された前記コンテンツを再生する再生部とデータの送受信を行う第１インターフェースとを備えた再生装置と、前記コンテンツを外部より受信する受信部と該受信部で受信したコンテンツを記録する記録媒体と前記再生装置の前記第１インターフェースと接続されるデータの送受信を行う第２インターフェースとを備えた記録装置と、を有し、前記再生装置が前記記録装置と着脱可能である映像記録再生装置において、
前記記録装置の前記記録媒体に記録する前記コンテンツと当該コンテンツの記録動作を行う時間とを予約する記録予約機能を備え、
前記再生装置が、前記記録予約機能によって記録予約された予約情報を前記メモリに格納するとともに当該予約情報を前記記録装置に転送していないことを確認したときに警告を与える第１警告部を備えることを特徴とする映像記録再生装置。
【請求項２】
前記再生装置が、前記第１インターフェースが前記記録装置の前記第２インターフェースに接続されたことを確認すると、前記予約情報を前記記録装置に転送するとともに、前記第１警告部の警告を停止することを特徴とする請求項１に記載の映像記録再生装置。
【請求項３】
前記再生装置が、
時間を計測するタイマを備え、
前記予約情報より確認される前記記録動作を開始する記録開始時刻の内の最も早い時刻と前記タイマより確認される現在時刻との時間差に応じて、前記第１警告部の警告動作を切り換えることを特徴とする請求項１又は請求項２に記載の映像記録再生装置。
【請求項４】
前記第１警告部によって、前記予約情報より確認される前記記録動作を開始する記録開始時刻の内の最も早い時刻と前記タイマより確認される現在時刻との時間差が表示されることを特徴とする請求項３に記載の映像記録再生装置。
【請求項５】
前記再生装置が、前記予約情報より確認される前記記録動作を開始する記録開始時刻の内の最も早い時刻が前記タイマより確認される現在時刻を過ぎたことが確認されると、当該記録開始時刻の変更を行うか否かを確認することを特徴とする請求項３又は請求項４に記載の映像記録再生装置。
【請求項６】
前記記録装置が、前記記録媒体の空き容量を確認するとともに、
前記再生装置が、
前記予約情報によって記録予約された前記コンテンツに使用される前記記録媒体における容量が、前記記録媒体の空き容量を超えたことを確認したときに警告を与える第２警告部を備え、
前記第１インターフェースが前記記録装置の前記第２インターフェースに接続されたときに、前記記録装置で確認された前記空き容量が前記第１インターフェースを通じて転送され、
前記第１インターフェースが前記記録装置の前記第２インターフェースに接続されていない状態で前記記録予約機能による前記予約情報が入力されたとき、入力された前記予約情報に基づいて記録される前記コンテンツに使用される容量と前記空き容量とが比較し、入力された前記予約情報による前記コンテンツを前記記録媒体に記録することが不可能であることを確認すると、前記第２警告部により警告を与えることを特徴とする請求項１〜請求項５のいずれかに記載の映像記録再生装置。
【請求項７】
前記第２警告部によって、前記表示部に前記空き容量が表示されることを特徴とする請求項６に記載の映像記録再生装置。
【発明の詳細な説明】
【技術分野】
【０００１】
本発明は、放送番組などのコンテンツを録画する映像記録再生装置に関するもので、特に、コンテンツを再生する再生装置を本体から分離して携帯することができる映像記録再生装置に関する。
【背景技術】
【０００２】
近年、ハードディスクやメモリなどの記録媒体の小型化及び大容量化の進歩などに伴って、テレビ放送などのコンテンツを記録することができる大容量の記録媒体を備えた映像記録再生装置が提供されている。又、符号化処理技術において、ＭＰＥＧ（Motion Picture Expert Group）などの圧縮符号化技術の発展に伴い、記録するコンテンツのデータ量が抑えられ、このコンテンツを記録する記録媒体の小型化が進められている。このように小型化された記録媒体を用いることでコンテンツを再生する再生装置を小型化して本体から分離可能とする映像記録再生装置の開発が進められている。このような映像再生装置によると、本体の記録媒体で記録されたコンテンツの一部を、再生装置に設けた記録媒体に格納することで、再生装置のみでのコンテンツの再生が可能となる。よって、再生装置を本体から分離して携帯可能とすることができる。
【０００３】
この映像記録再生装置における再生装置となる動画表示装置を備えるとともに、この動画表示装置と接続したときに動画データを転送する本体となる動画管理装置を有する動画管理方法が、従来技術として提案されている（特許文献１参照）。この動画管理方法において、動画表示装置が動画管理装置と接続されると、動画表示装置に転送することが指示された動画データが動画管理装置より動画表示装置に転送される。又、このとき、動画表示装置では、動画データを記憶させる記憶媒体に空き容量がない場合、視聴済の動画データを自動的に削除する。
【特許文献１】特開２００３−２８９４９１号公報
【発明の開示】
【発明が解決しようとする課題】
【０００４】
しかしながら、特許文献１における動画管理方法においては、再生装置となる動画表示装置側による録画予約設定動作が行うことができない。又、この録画予約設定動作を行うものであっても、実際に本体との通信を行って予約情報を転送しなければ、コンテンツの録画を予約時間に行うことができない。よって、予約録画を実行する時間までに本体に予約情報の転送を行わなければ、ユーザが所望するコンテンツの予約録画が不可能となり、結果、録画が実行されないこととなる。
【０００５】
更に、特許文献１における動画管理方法の動画管理装置において、記録媒体に記録した動画データ毎の視聴の有無や転送の有無について管理が行われている。しかしながら、動画管理装置における記録媒体の空き容量の管理などが行われていないので、動画表示装置において録画予約設定を行うとき、動画管理装置が記録可能なデータ量を確認することができない。
【０００６】
このような問題を鑑みて、本発明は、本体から分離された再生装置において録画予約設定を行うことができる映像記録再生装置を提供することを目的とする。
【課題を解決するための手段】
【０００７】
上記目的を達成するために、本発明の映像記録再生装置は、コンテンツを格納するメモリと該メモリで格納された前記コンテンツを再生する再生部とデータの送受信を行う第１インターフェースとを備えた再生装置と、前記コンテンツを外部より受信する受信部と該受信部で受信したコンテンツを記録する記録媒体と前記再生装置の前記第１インターフェースと接続されるデータの送受信を行う第２インターフェースとを備えた記録装置と、を有し、前記再生装置が前記記録装置と着脱可能である映像記録再生装置において、前記記録装置の前記記録媒体に記録する前記コンテンツと当該コンテンツの記録動作を行う時間とを予約する記録予約機能を備え、前記再生装置が、前記記録予約機能によって記録予約された予約情報を前記メモリに格納するとともに当該予約情報を前記記録装置に転送していないことを確認したときに警告を与える第１警告部を備えることを特徴とする。
【０００８】
このような映像記録再生装置において、前記再生装置が、前記第１インターフェースが前記記録装置の前記第２インターフェースに接続されたことを確認すると、前記予約情報を前記記録装置に転送するとともに、前記第１警告部の警告を停止する。このとき、前記第１インターフェースが前記記録装置の前記第２インターフェースに接続されたことを確認したとき、前記再生装置の充電が前記記録装置を通じて行われるものとしても構わない。又、前記第１インターフェースが前記記録装置の前記第２インターフェースに接続され、前記再生装置より前記記録媒体に格納されたコンテンツが指定されたとき、指定された前記コンテンツが前記再生装置に転送され、前記メモリに格納される。更に、前記第１インターフェースが前記記録装置の前記第２インターフェースに接続され、前記再生装置より前記記録予約機能により記録予約されたとき、予約情報が前記メモリに格納されることなく、前記記録装置に転送されるものとしても構わない。
【０００９】
前記再生装置が、時間を計測するタイマを備え、前記予約情報より確認される前記記録動作を開始する記録開始時刻の内の最も早い時刻と前記タイマより確認される現在時刻との時間差に応じて、前記第１警告部の警告動作を切り換えるものとしても構わない。このとき、前記第１警告部を発光素子で構成したとき、前記予約情報より確認される前記記録動作を開始する記録開始時刻の内の最も早い時刻と前記タイマより確認される現在時刻との時間差が短くなるほど、前記発光素子の発光タイミングを短くするようにしても構わない。
【００１０】
又、前記第１警告部によって、前記予約情報より確認される前記記録動作を開始する記録開始時刻の内の最も早い時刻と前記タイマより確認される現在時刻との時間差が表示されるものとしても構わない。更に、前記再生装置が、前記予約情報より確認される前記記録動作を開始する記録開始時刻の内の最も早い時刻が前記タイマより確認される現在時刻を過ぎたことが確認されると、当該記録開始時刻の変更を行うか否かを確認するものとしても構わない。このとき、前記記録開始時刻の変更を行わない場合、前記予約情報より確認される前記記録動作を開始する記録開始時刻の内の最も早い時刻に応じた前記予約情報を削除するものとしても構わない。
【００１１】
又、前記記録装置が、前記記録媒体の空き容量を確認するとともに、前記再生装置が、前記予約情報によって記録予約された前記コンテンツに使用される前記記録媒体における容量が、前記記録媒体の空き容量を超えたことを確認したときに警告を与える第２警告部を備え、前記第１インターフェースが前記記録装置の前記第２インターフェースに接続されたときに、前記記録装置で確認された前記空き容量が前記第１インターフェースを通じて転送され、前記第１インターフェースが前記記録装置の前記第２インターフェースに接続されていない状態で前記記録予約機能による前記予約情報が入力されたとき、入力された前記予約情報に基づいて記録される前記コンテンツに使用される容量と前記空き容量とが比較し、入力された前記予約情報による前記コンテンツを前記記録媒体に記録することが不可能であることを確認すると、前記第２警告部により警告を与えるものとしても構わない。
【００１２】
このとき、前記第２警告部によって、前記表示部に前記空き容量が表示されるものとしても構わない。更に、入力された前記予約情報による前記コンテンツを前記記録媒体に記録することが不可能であるとき、既に記録された前記予約情報から削除する前記予約情報を選択できるものとしても構わない。
【発明の効果】
【００１３】
本発明によると、再生装置で設定された予約情報が記録装置に転送されていないとき、第１警告部によって警告することができるので、ユーザに対して予約情報の記録装置への転送を喚起させることができる。又、予約情報における記録開始時刻と現在時刻との時間差が変更することで第１警告部による警告動作を切り換えることができるので、ユーザに対して転送されていない予約情報の記録開始時刻が近づいていることを確認させることができる。又、入力された予約情報により記録に使用される容量が、記録装置における空き容量を超えたとき、第２警告部によって警告することができるので、ユーザに対して入力された予約情報におけるコンテンツの記録装置での記録が不可能であることを喚起させることができる。
【発明を実施するための最良の形態】
【００１４】
＜第１の実施形態＞
本発明の第１の実施形態について、図面を参照して説明する。図１は、本実施形態の映像記録再生装置の構成を示す図である。又、図２は、図１の映像記録再生装置における記録装置の内部構成を示すブロック図である。又、図３は、図１の映像記録再生装置における再生装置の内部構成を示すブロック図である。
【００１５】
図１の映像記録再生装置は、放送信号を受信して得られたコンテンツを記録する本体部分である記録装置１と、記録装置１と分離可能であるとともに記録装置１で記録されたコンテンツを再生表示する再生装置２と、を備える。このとき、再生装置２は、二次電池などの重放電可能な電源（不図示）を備えることで可搬性を備えるとともに、又、再生装置２が記録装置１に接続されることで、この電源が充電される。
【００１６】
この映像記録再生装置の本体部分である記録装置１は、図２に示すように、放送信号を受信するアンテナ１１と、アンテナ１１で受信される放送信号を選局するチューナ１２と、チューナ１２で受信された放送信号に対してＭＰＥＧ方式などの圧縮符号化方式を用いて符号化するエンコーダ１３と、エンコーダ１３で放送信号が符号化されて得られたデータ（以下、「コンテンツデータ」とする）を格納するハードディスクなどの記録媒体１４と、録画予約又は記録されたコンテンツに関する情報が格納されたコンテンツ参照用テーブルや各種動作を行うためのプログラムを備えたメモリ１５と、時刻を計測するタイマ１６と、メモリ１５のプログラムによって装置全体の動作を行うＣＰＵ（Central Processing Unit）１７と、再生装置２が載置されることで接続されるとともに再生装置２と通信を行うインターフェース（Ｉ／Ｆ）１８と、各ブロック間の信号を伝達を行うバス１９と、を備える。
【００１７】
又、この記録装置１に載置されることで通信接続される再生装置２は、図３に示すように、記録装置１のＩ／Ｆ１８と通信接続されるＩ／Ｆ２１と、再生装置２から受信したコンテンツデータが記録されるとともに録画予約情報が格納された録画予約テーブルや各種動作を行うためのプログラムを備えたメモリ２２と、メモリ２２より読み出されたコンテンツデータを復号化して映像信号及び音声信号に変換するデコーダ２３と、デコーダ２３で得られた映像信号を再生することで映像表示を行う表示部２４ａと、デコーダ２３で得られた音声信号を再生することで音声出力を行うスピーカ２４ｂと、ユーザにより入力操作が行われる操作部２５と、メモリ２２のプログラムによって装置全体の動作を行うＣＰＵ２６と、アラーム表示を行うＬＥＤ（Light Emitting Diode）２７と、各ブロック間の信号を伝達を行うバス２８と、を備える。
【００１８】
このようにして映像記録再生装置が構成されるとき、記録装置１は、チューナ１２で選局された放送信号をアンテナ１１を介して受信する。このとき、アナログ放送を受信する場合、チューナ１２は、ＣＰＵ１７によって指示されたチャンネル周波数で選局動作を行った後、この放送信号を復調するとともに復号化し、得られた映像信号及び音声信号による放送信号をエンコーダ１３に送出する。又、デジタル放送を受信する場合、チューナ１２は、ＣＰＵ１７によって指示されたチャンネル周波数で選局動作を行った後に復調して得られた放送信号をエンコーダ１３に送出する。
【００１９】
そして、チューナ１２で得られた放送信号がエンコーダ１３に与えられると、圧縮符号化されたコンテンツデータに変換するとともに、バス１９を介して記録媒体１４に記録する。このとき、チューナ１２でアナログ放送が受信されたときは、チューナ１２から与えられたアナログ信号である映像信号及び音声信号をデジタル符号化した後圧縮符号化することによって、コンテンツデータを生成する。又、チューナ１２でデジタル放送が受信されたときは、チューナ１２から与えられた放送信号をデジタル信号に変換することで、圧縮符号化されたコンテンツデータが得られる。尚、デジタル放送で使用される圧縮符号化方式と記録媒体１４に格納する際の圧縮符号化方式とが異なるときは、エンコーダ１３において記録媒体１４に格納する際の圧縮符号化方式のコンテンツデータ認変換する。
【００２０】
又、メモリ１５に備えられるコンテンツ参照用テーブルは、図４に示すように、各コンテンツデータに対して、記録媒体１４におけるアドレス位置（開始アドレス位置）、放送チャンネル、録画開始時刻、録画終了時刻、録画時間、メモリ使用量それぞれが、録画情報として格納される。このコンテンツ参照用テーブルにおいて、記録媒体１４に記録されたコンテンツデータに対して、記録媒体１４に記録された開始アドレス位置及び記録に使用されたメモリ使用量それぞれが格納されている。これに対して、録画予約中のコンテンツデータは、記録媒体１４に記録されていないので、開始アドレス位置が格納される欄（アドレス位置欄）には未記録を示す“ＮＵＬＬ”が格納されるとともに、メモリ使用量が格納される欄（メモリ使用量欄）には記録に必要であると予測されるメモリ使用量が格納される。
【００２１】
このメモリ１５に格納されたコンテンツ参照用テーブルをＣＰＵ１７が参照することで、未記録で録画予約されているコンテンツデータの記録開始時刻を確認する。そして、タイマ１６で計測される現在時刻と対比して、現在時刻と一致する記録開始時刻となるコンテンツデータの確認を行う。現在時刻と一致する記録開始時刻となるコンテンツデータが確認されると、コンテンツ参照用テーブルより放送チャンネルを確認し、チューナ１２がその放送チャンネルの放送信号を選局するように、チャンネル周波数が設定される。
【００２２】
そして、記録動作が開始すると、上述のように、チューナ１２、エンコーダ１３、及び記録媒体１４が動作することで、記録媒体１４にコンテンツデータが格納される。このとき、記録媒体１４に与えられるコンテンツデータの最初のデータが格納されるアドレスを開始アドレス位置として、メモリ１５内のコンテンツ参照用テーブルのアドレス位置欄に格納する。その後、タイマ１６からの現在時刻が記録終了時刻に到達したことをＣＰＵ１７によって確認されると、記録媒体１４への記録動作を停止して録画を終了し、記録されたコンテンツデータに使用されたメモリ容量を確認する。この確認したメモリ容量を、メモリ１５内のコンテンツ参照用テーブルのメモリ使用量欄に格納する。
【００２３】
即ち、タイマ１６により２００４年３月２５日の１５時００分００秒になったことを確認すると、メモリ１５内の図４のコンテンツ参照用テーブルより、録画されていないコンテンツＣ８の録画開始時刻であることを確認する。そして、チューナ１２におけるチャンネル周波数を放送チャンネルＣｈ３のチャンネル周波数に設定するとともに、エンコーダ１３で得られたコンテンツデータの記録媒体１４への記録動作を開始する。このとき、記録媒体１４のアドレス位置Ａｚから記録開始したことを確認すると、図５のように、開始アドレス位置Ａｚをコンテンツ参照用テーブルのアドレス位置欄に格納する。そして、タイマ１６により２００４年３月２５日の１５時５８分００秒になったことを確認すると、コンテンツＣ８の録画終了時刻であることが確認されるため、録画動作を終了する。このとき、メモリ容量を１９８Ｍｂｙｔｅであることを確認し、図５のように、メモリ容量１９８Ｍｂｙｔｅをコンテンツ参照用テーブルのメモリ使用量欄に格納する。
【００２４】
又、再生装置２は、メモリ２２内には、複数のコンテンツデータの一覧を示す図６のようなコンテンツデータテーブルと、録画開始時刻及び録画終了時刻及び放送チャンネルが設定された録画予約情報を格納する図７のような録画予約テーブルと、が格納されている。図６のコンテンツデータテーブルは、メモリ２２内に格納されている各コンテンツデータの放送チャンネル及び録画開始時刻及び録画終了時刻及び録画時間及びメモリ２２での開始アドレス位置が記録され、又、図７の録画予約テーブルは、録画予約されたコンテンツの放送チャンネル及び録画開始時刻及び録画終了時刻及び録画時間及びメモリ使用量が格納される。
【００２５】
そして、操作部２５が操作されてコンテンツの再生が指示されると、ＣＰＵ２６でその指示内容が確認され、メモリ２２に格納されたコンテンツデータテーブルが確認される。このコンテンツデータテーブルで確認された各コンテンツデータの放送チャンネル及び録画開始時刻及び録画終了時刻及び録画時間が読み出されると、デコーダ２３に与えられて映像信号に変換されて表示部２４ａに与えられる。そして、表示部２４ａにおいて、メモリ２２に格納された各コンテンツの放送チャンネル及び録画開始時刻及び録画終了時刻及び録画時間を表示する。
【００２６】
この表示部２４ａに表示された再生可能なコンテンツに対して、指示された位置の色を反転するなどして選択されているコンテンツを示すポインタが表示される。このポインタをユーザが操作部２５を操作することで移動させることで、再生を所望するコンテンツにポインタを移動させる。そして、再生を所望するコンテンツがポインタによって選択されているときに、操作部２５が操作されてその選択を決定することが指示されると、ＣＰＵ２６によって選択されたコンテンツに対するコンテンツデータの開始アドレス位置が確認される。
【００２７】
このようにして選択されたコンテンツに対するコンテンツデータの開始アドレス位置が確認されると、この開始アドレス位置から順にメモリ２２に格納されたコンテンツデータを読み出す。このメモリ２２から読み出されたコンテンツデータは、デコーダ２３において伸長されて映像信号及び音声信号が生成され、映像信号が表示装置２４ａに与えられるとともに、音声信号がスピーカ２４ｂに与えられる。そして、ユーザが所望するコンテンツの映像及び音声が再生出力される。その後、このコンテンツに関するコンテンツデータが全てメモリ２２から読み出されて再生出力されると、再生動作を終了する。
【００２８】
又、この再生装置２が記録装置１に設置されるとき、再生装置２の操作部２５をユーザが操作することによって、記録装置１における選局される放送チャンネルを変えて、所望の放送チャンネルのコンテンツを表示部２４ａ及びスピーカ２４ｂで再生出力することができる。即ち、操作部２５によって受信する放送チャンネルが選択されると、Ｉ／Ｆ２１及びＩ／Ｆ１８を通じて、記録装置１に与えられる。そして、記録装置１では、選択された放送チャンネルがＣＰＵ１７で確認され、チューナ１２におけるチャンネル周波数が切り換えられる。
【００２９】
このようにすることで、記録装置１において、所望の放送チャンネルの放送信号がチューナ１２で受信される。そして、この受信された放送信号がエンコーダ１３でコンテンツデータに変換されると、Ｉ／Ｆ１８及びＩ／Ｆ２１を通じて、再生装置２に与えられる。よって、再生装置２では、このコンテンツデータをデコーダ２３で復号化することで、所望の放送チャンネルのコンテンツを表示部２４ａ及びスピーカ２４ｂで再生出力する。
【００３０】
このような記録装置１及び再生装置２を備えた映像記録再生装置による録画予約動作について、図面を参照して以下に説明する。図８は、録画予約動作時における再生装置２の動作を示すフローチャートである。又、図９は、データ転送時における再生装置２の動作を示すフローチャートである。又、図１０は、データ転送時における記録装置１の動作を示すフローチャートである。
【００３１】
まず、再生装置２における動作について説明する。ユーザによって操作部２５が操作されて、録画予約するコンテンツに対する録画開始時刻及び録画終了時刻及び放送チャンネルが入力されると（ＳＴＥＰ１）、Ｉ／Ｆ２１によって記録装置１のＩ／Ｆ１８が接続されているか否かが確認される（ＳＴＥＰ２）。尚、ＳＴＥＰ１では、操作部２５によって録画予約が指示されると、録画予約用の設定画面が表示部２４ａに表示される。そして、操作部２５が操作されることで、録画開始時刻及び録画終了時刻及び放送チャンネルそれぞれが表示部２５に表示される。この録画開始時刻及び録画終了時刻及び放送チャンネルの表示後、ユーザが操作部２５を操作して決定することで、入力が完了する。
【００３２】
ＳＴＥＰ２において、記録装置１との接続が確認されると（Ｙｅｓ）、入力された録画予約情報をバス２８を通じてＩ／Ｆ２１に与えられた後、記録装置１に録画予約情報が転送され（ＳＴＥＰ３）、予約動作を終了する。又、記録装置１と接続されていないことが確認されると（Ｎｏ）、入力された録画予約情報をバス２８を通じてメモリ２２内の録画予約テーブルに格納される（ＳＴＥＰ４）。そして、ＣＰＵ２６がＬＥＤ２７が点滅しているか否かが確認される（ＳＴＥＰ５）。このとき、メモリ２２内の録画予約テーブルに別の録画予約情報が存在し、ＬＥＤ２７が点滅している場合（Ｙｅｓ）、予約動作を終了する。又、ＬＥＤ２７が点滅していない場合（Ｎｏ）、ＬＥＤ２７の点滅を開始して（ＳＴＥＰ６）、予約動作を終了する。
【００３３】
よって、再生装置２が、記録装置１と接続されていないときに録画予約動作が行われることで、図８のフローチャートにおけるＳＴＥＰ４の動作が行われ、メモリ２２内の録画予約テーブルに録画予約情報が格納される。このように録画予約情報が格納されている再生装置２が記録装置１に載置されて、再生装置２のＩ／Ｆ２１が記録装置１のＩ／Ｆ１８に接続されると、図９のフローチャートに従った動作を行うことで、録画予約情報が記録装置１に転送される。このときの動作について、以下に説明する。
【００３４】
この再生装置２は、記録装置１に載置されることでＩ／Ｆ２１が記録装置１のＩ／Ｆ１８に接続されたか否かが確認される（ＳＴＥＰ１０１）。そして、再生装置２が記録装置１に載置されて、Ｉ／Ｆ２１がＩ／Ｆ１８に接続されたことが確認されると（Ｙｅｓ）、メモリ２２内の録画予約テーブルに録画予約情報が格納されているか否かが確認される（ＳＴＥＰ１０２）。このとき、録画予約情報が格納されていることが確認されると（Ｙｅｓ）、メモリ２２内の録画予約テーブルに格納されている録画予約情報が読み出されて、バス２８を通じてインターフェース２１より記録装置１に送信される（ＳＴＥＰ１０３）。そして、ＬＥＤ２７の点滅が消灯する（ＳＴＥＰ１０４）。
【００３５】
ＳＴＥＰ１０４においてＬＥＤ２７の点滅が消灯したとき、又は、ＳＴＥＰ１０２において録画予約情報が確認されなかったとき（Ｎｏ）、操作部２５が操作されて、記録装置１の記録媒体１４に格納されたコンテンツのメモリ２２への格納が要求されたか否かが確認される（ＳＴＥＰ１０５）。このとき、コンテンツのメモリ２２への格納が指示されると（Ｙｅｓ）、記録装置１の記録媒体１４に格納されたコンテンツに関する録画情報を要求する録画情報要求信号を送信した後（ＳＴＥＰ１０６）、Ｉ／Ｆ２１を介して記録装置１からの録画情報を受信する（ＳＴＥＰ１０７）。
【００３６】
そして、受信した録画情報がバス２８を介してデコーダ２３に与えられることで、デコーダ２３で復号化されて、記録装置１の記録媒体１４に格納されたコンテンツに関する録画情報による録画開始時刻及び録画終了時刻及び放送チャンネルが、表示部２４ａに表示される（ＳＴＥＰ１０８）。このように表示部２４ａに記録装置１の記録媒体１４に格納されたコンテンツの録画情報が表示されると、操作部２５が操作されてメモリ２２に格納するコンテンツが選択される（ＳＴＥＰ１０９）。
【００３７】
尚、ＳＴＥＰ１０８及びＳＴＥＰ１０９の動作が行われるとき、メモリ２２に格納されているコンテンツをコンテンツデータテーブルより確認して、このメモリ２２に格納されていないコンテンツに関する録画情報が記録装置１より与えられる。このとき、既にメモリ２２に格納されたか否かが、記録装置１において、メモリ１５内のコンテンツ参照用テーブルより確認されるものとしても構わない。そして、ＳＴＥＰ１０９において、表示部２４ａに表示された録画情報がポインタによって選択されるとともに、更に、複数のコンテンツを選択することができる。又、ＳＴＥＰ１０９の選択動作が行われているとき、コンテンツの選択が成されなくても構わない。そして、選択動作を終了することが操作部２５によって指示されると、ＳＴＥＰ１１０に移行する。
【００３８】
ＳＴＥＰ１０９における選択動作が行われると、コンテンツが選択されたか否かが確認される（ＳＴＥＰ１１０）。このとき、コンテンツが選択されたことが確認されると（Ｙｅｓ）、選択されたコンテンツのコンテンツデータの送信を要求するためのデータ送信要求信号をＣＰＵ２６で生成して、Ｉ／Ｆ２１より記録装置１に送信する（ＳＴＥＰ１１１）。その後、記録装置１から送信されるコンテンツデータをＩ／Ｆ２１によって受信する（ＳＴＥＰ１１２）。そして、Ｉ／Ｆ２１で受信したコンテンツデータをバス２８を介してメモリ２２に記録し（ＳＴＥＰ１１３）、動作を終了する。このとき、記録したコンテンツデータに関するコンテンツの録画情報をメモリ２２内のコンテンツデータテーブルに格納する。尚、メモリ２２内の空き容量が少ないとき、メモリ２２内に格納された既に視聴されたコンテンツのコンテンツデータが自動的に削除されるものとしても構わない。
【００３９】
又、ＳＴＥＰ１０５において、コンテンツのメモリ２２への格納が指示されなかったとき（Ｎｏ）、又は、ＳＴＥＰ１１０において、コンテンツが選択されなかったとき（Ｎｏ）、動作を終了する。このように再生装置２が記録装置１に載置されて、記録装置１への録画予約情報の送信を行うとともに、記録装置１からのコンテンツデータの受信を行うとき、再生装置２が記録装置１を通じて充電されるものとしても構わない。
【００４０】
次に、記録装置１における動作について説明する。再生装置２が上述のように動作することによって録画予約情報が送信されるとき、記録装置１が録画予約情報を図１０のフローチャートに従って動作する。まず、再生装置２が載置されてＩ／Ｆ１８に再生装置２のＩ／Ｆ２１が接続されたか否かが確認される（ＳＴＥＰ２０１）。そして、再生装置２が記録装置１に載置されて、Ｉ／Ｆ１８にＩ／Ｆ２１が接続されたことが確認されると（Ｙｅｓ）、再生装置２より録画予約情報が送信されたか否かが確認される（ＳＴＥＰ２０２）。
【００４１】
このとき、再生装置２からの録画予約情報の送信を確認すると（Ｙｅｓ）、Ｉ／Ｆ１８において再生装置２からの録画予約情報を受信する（ＳＴＥＰ２０３）。そして、受信した録画予約情報をバス１９を介してメモリ１５に与えて、メモリ１５内のコンテンツ参照用テーブルに格納する（ＳＴＥＰ２０４）。尚、このとき、受信した録画予約情報において、メモリ１５内のコンテンツ参照用テーブルに格納されている録画予約情報が存在するか否かを確認するものとしても構わない。そして、コンテンツ参照用テーブルに格納されていない録画予約情報を新たにコンテンツ参照用テーブルに格納して、コンテンツ参照用テーブルの内容を更新するものとしても構わない。
【００４２】
ＳＴＥＰ２０２において録画予約情報の送信が確認されなかったとき（Ｎｏ）、又は、ＳＴＥＰ２０４における録画予約情報の格納動作が行われたとき、再生装置２からの録画情報要求信号をＩ／Ｆ１８で受信したか否かが確認される（ＳＴＥＰ２０５）。そして、録画情報要求信号をＩ／Ｆ１８で受信したとき（Ｙｅｓ）、メモリ１５のコンテンツ参照用テーブルに記録されたコンテンツデータに関する録画情報が読み出されて、Ｉ／Ｆ１８より再生装置２に送信される（ＳＴＥＰ２０６）。このとき、メモリ１５のコンテンツ参照用テーブルにおけるアドレス位置欄が確認され、録画終了したコンテンツデータに関する録画情報が読み出されて、Ｉ／Ｆ１８に与えられる。
【００４３】
このように、Ｉ／Ｆ１８より録画情報を送信すると、再生装置２からのデータ送信要求信号をＩ／Ｆ１８で受信したか否かが確認される（ＳＴＥＰ２０７）。そして、データ送信要求信号をＩ／Ｆ１８で受信したとき（Ｙｅｓ）、データ送信要求信号より確認される送信要求されたコンテンツのコンテンツデータを記録媒体１４から読み出して、Ｉ／Ｆ１８より再生装置２に送信し（ＳＴＥＰ２０８）、動作を終了する。このとき、データ送信要求信号より要求されたコンテンツのコンテンツデータの記録媒体１４に記録される開始アドレス位置が、メモリ１５のコンテンツ参照テーブルにより確認されて、コンテンツデータが読み出される。
【００４４】
又、ＳＴＥＰ２０５において、録画情報要求信号をＩ／Ｆ１８で受信することがなかったとき（Ｎｏ）、又は、ＳＴＥＰ２０７において、データ送信要求信号をＩ／Ｆ１８で受信することがなかったとき（Ｎｏ）、コンテンツの要求がないものとして動作を終了する。このように動作することで、記録装置１に再生装置２に接続されたとき、再生装置２で設定された録画予約情報を記録装置１が受信して、コンテンツ参照用テーブルに設定することができる。
【００４５】
＜第２の実施形態＞
本発明の第２の実施形態について、図面を参照して説明する。図１１は、本実施形態の映像記録再生装置における再生装置の内部構成を示すブロック図である。尚、本実施形態の映像記録再生装置は、第１の実施形態と同様、図１のように構成され、又、記録装置の内部構成についても、第１の実施形態と同様、図２のように構成される。又、図１１の再生装置において、図３の再生装置と同一の目的で使用する部分については、同一の符号を付してその詳細な説明は省略する。
【００４６】
本実施形態の映像記録再生装置における再生装置２ａ（図１の再生装置２に相当する）は、図１１に示すように、図３の構成に、時間を計測するタイマ２９が付加された構成である。又、この再生装置２ａは、メモリ２２において、録画予約テーブルに格納された各録画予約情報における最も早い時刻となる録画開始時刻を認識し、この最も早い時刻となる録画開始時刻を警告用時刻として格納する。この警告用時刻は、メモリ２２内の録画予約テーブルに録画予約情報がない場合、メモリ２２よりその内容が削除される（“ＮＵＬＬ”と記憶されるものでもよい）。
【００４７】
このように構成される再生装置２ａを備える映像記録再生装置は、再生装置２ａが記録装置１に載置されて再生装置２ａのＩ／Ｆ２１が記録装置１のＩ／Ｆ１８と接続されたときの動作が、第１の実施形態と同様、図９及び図１０のフローチャートに従った動作となる。又、記録装置１での記録動作及び再生装置２ａでの再生動作についても、第１の実施形態と同様である。よって、以下では、録画予約動作時における再生装置２ａの動作と、ＬＥＤ２８による警告動作を録画開始時刻に応じて切り換える警告切換動作とについて説明する。
【００４８】
まず、録画予約動作時の再生装置２ａにおける動作について、図１２のフローチャートを参照して説明する。尚、図１２のフローチャートにおいて、図８のフローチャートにおける動作と同一の動作は、同一の符号を付す。まず、第１の実施形態と同様、ユーザによって録画予約情報が入力されると、Ｉ／Ｆ２１が記録装置１のＩ／Ｆ１８に接続されているか否かが確認される（ＳＴＥＰ１、ＳＴＥＰ２）。そして、記録装置１と接続されている場合（Ｙｅｓ）、第１の実施形態と同様、入力された録画予約情報が記録装置１に転送される（ＳＴＥＰ３）。
【００４９】
又、ＳＴＥＰ２において、記録装置１と接続されていない場合（Ｎｏ）、入力された録画予約情報がメモリ２２内の録画予約テーブルに格納される（ＳＴＥＰ４）。そして、入力された録画予約情報における録画開始時刻とメモリ２２内の警告用時刻とを比較し、入力された録画開始時刻が早い時刻であるか否かを確認する（ＳＴＥＰ１０）。このとき、入力された録画開始時刻が警告用時刻より早い時刻であることが確認されると（Ｙｅｓ）、この入力された録画開始時刻が警告用時刻とされ、警告用時刻が更新されてメモリ２２内に格納される（ＳＴＥＰ１１）。
【００５０】
このＳＴＥＰ１１における警告用時刻の更新が行われたとき、又は、ＳＴＥＰ１０において、入力された録画開始時刻が警告用時刻より遅い時刻であるとき（Ｎｏ）、第１の実施形態と同様、ＬＥＤ２７の点滅が確認され、ＬＥＤ２７が点滅していないとき、ＬＥＤ２７の点滅を開始する（ＳＴＥＰ５、ＳＴＥＰ６）。
【００５１】
このように、録画予約動作が行われている再生装置２ａが、図１３のフローチャートに従って、以下のような警告切換動作を行う。まず、メモリ２２内の録画予約テーブルに録画予約情報が格納されているか否かを確認して、警告用時刻の有無を確認する（ＳＴＥＰ３０１）。このとき、警告用時刻がメモリ２２に格納されていない場合（Ｎｏ）、動作を終了する。又、警告用時刻がメモリ２２に格納されている場合（Ｙｅｓ）、格納されている警告用時刻がメモリ２２より読み出される（ＳＴＥＰ３０２）。
【００５２】
そして、タイマ２９より確認される現在時刻から警告用時刻を減算した残り時間を確認し、この残り時間が所定の閾値（時間Ｔ１）以下であるか否かを確認する（ＳＴＥＰ３０３）。このとき、残り時間が時間Ｔ１以内であることが確認されると（Ｙｅｓ）、次に、この残り時間が０以下であるか否かが確認される（ＳＴＥＰ３０４）。更に、残り時間が０以下であることが確認されると（Ｙｅｓ）、警告用時刻を録画開始時刻として録画予約したコンテンツの録画が不可能であることを警告するために、図１４のように、警告用時刻を録画開始時刻とする録画予約情報が表示部２４ａに表示される（ＳＴＥＰ３０５）。このとき、この録画情報における録画開始時刻の変更を行うか否かをユーザに決定させるため、図１４に示すように、「開始時刻変更？」という表示を録画予約情報とともに表示部２４ａに行う。
【００５３】
そして、操作部２５が操作されて録画開始時刻の変更を行うことが入力されたか否かを確認する（ＳＴＥＰ３０６）。このとき、録画開始時刻の変更を行うことが確認されると（Ｙｅｓ）、ＳＴＥＰ３０５で表示された録画予約情報における録画開始時刻を、操作部２５によって新たに入力された録画開始時刻に変更して、メモリ２２内の録画予約テーブルに格納する（ＳＴＥＰ３０７）。又、録画開始時刻の変更を行わずに録画予約情報の削除が指示された場合（Ｎｏ）、ＳＴＥＰ３０５で表示された録画予約情報がメモリ２２内の録画予約テーブルから削除される（ＳＴＥＰ３０８）。
【００５４】
ＳＴＥＰ３０７における録画開始時刻の変更動作及びＳＴＥＰ３０８における録画予約情報の削除動作が行われると、メモリ２２内の録画予約テーブルの内容が確認されて最も早い時刻となる録画開始時刻を認識し、新たに警告用時刻として更新した後（ＳＴＥＰ３０９）、ＳＴＥＰ３０１に移行する。又、ＳＴＥＰ３０３において、残り時間が閾値となる時間Ｔ１より長い場合（Ｎｏ）、ＳＴＥＰ３０１に移行する。
【００５５】
更に、ＳＴＥＰ３０４において、残り時間が０より長い場合、ＬＥＤ２７の点滅速度を速くなるように切り換える（ＳＴＥＰ３０９）。そして、図１５のように、残り時間を現在時刻とともに表示部２４ａの一部に表示し、ユーザに残り時間を知らせる（ＳＴＥＰ３１０）。この残り時間の表示動作を行った後、ＳＴＥＰ３０１に移行する。尚、ＳＴＥＰ３０９において、残り時間が短くなるほど、ＬＥＤ２７の点滅速度が速くなるように、その速度が切りかわるものとしても構わない。又、ＬＥＤ２７の点滅速度が速くするとき、最終的に、ＬＥＤ２７を点灯させて、ユーザに注意を与えるようにしても構わない。
【００５６】
＜第３の実施形態＞
本発明の第３の実施形態について、図面を参照して説明する。尚、本実施形態の映像記録再生装置は、第１の実施形態と同様、図１のように構成され、又、記録装置の内部構成についても、第１の実施形態と同様、図２のように構成される。記録装置の内部構成についても、第２の実施形態と同様、図１１のように構成される。
【００５７】
本実施形態の映像記録再生装置では、記録装置１及び再生装置２ａそれぞれにおいて、記録装置１の記録媒体１４の空き容量が確認される。又、再生装置２ａでは、確認された空き容量に応じて、録画予約可能か否かの判断が行われる。そして、再生装置２ａにおいて録画予約動作が行われる際に、この録画予約可否の判断動作が行われる以外、第１又は第２の実施形態と同様となる。
【００５８】
このような映像記録再生装置において、記録装置１では、メモリ１５内のコンテンツ参照用テーブルにおけるメモリ使用量欄が確認される。そして、記録媒体１４に格納されたコンテンツによって使用される使用メモリ容量の総メモリ容量と、録画予約されているコンテンツに対して予測された使用メモリ容量（予測メモリ容量とする）の総メモリ容量とが確認される。この使用メモリ容量及び予測メモリ容量それぞれの総メモリ容量が、記録媒体１４の総メモリ容量から減算されることで、記録媒体１４の空きメモリ容量（空き容量）が確認され、メモリ１５に格納する。
【００５９】
尚、記録媒体１４の空きメモリ容量が確認されるとき、記録媒体１４の実際の空きメモリ容量から予測メモリ容量の総メモリ容量を減算して、記録媒体１４の空きメモリ容量が確認されるものとしても構わない。又、このメモリ１５に格納される記録媒体１４の空きメモリ容量は、コンテンツが録画されて記録装置１にコンテンツデータが格納される際に、格納されるものとしても構わないし、定期的に記録媒体１４の空きメモリ容量が確認されて格納されるものとしても構わない。
【００６０】
このように確認されてメモリ１５に格納された空きメモリ容量は、再生装置２ａが記録装置１に接続されたときに記録装置１から再生装置２ａに転送される。即ち、図１６のフローチャートに示すように、記録装置１が、ＳＴＥＰ２０１においてＩ／Ｆ１８が再生装置２ａのＩ／Ｆ２１に接続したことを確認すると、メモリ１５に格納した記録媒体１４の空きメモリ容量をＩ／Ｆ１８より再生装置２ａに転送して（ＳＴＥＰ２５１）、ＳＴＥＰ２０２に移行する。その後、図１０のフローチャートと同様の動作を行う。
【００６１】
又、このとき、再生装置２ａは、図１７のフローチャートに示すように、ＳＴＥＰ１０１においてＩ／Ｆ２１が記録装置１のＩ／Ｆ１８に接続したことを確認すると、記録装置１から送信される記録媒体１４の空きメモリ容量をＩ／Ｆ２１で受信する(ＳＴＥＰ１５１）。そして、受信した記録媒体１４の空きメモリ容量をメモリ２２に格納して（ＳＴＥＰ１５２）、ＳＴＥＰ１０２に移行する。その後、図１０のフローチャートと同様の動作を行う。
【００６２】
更に、このようにして記録装置１の記録媒体１４の空きメモリ容量をメモリ２２に格納した再生装置２ａは、図１８のフローチャートに従って録画予約動作を行う。即ち、ＳＴＥＰ１においてユーザによって録画予約情報が入力されると、入力された録画開始時刻と録画終了時刻によって録画時間を確認し、使用するメモリ容量を予測する（ＳＴＥＰ４０１）。そして、予測したメモリ容量が、メモリ２２に格納した記録媒体１４の空きメモリ容量より大きいか否かを確認する（ＳＴＥＰ４０２）。
【００６３】
このとき、予測したメモリ容量が記録媒体１４の空きメモリ容量より大きい場合（Ｙｅｓ）、表示部２４ａに録画予約したコンテンツが録画不可能であることを表示して（ＳＴＥＰ４０３）、動作を終了する。又、予測したメモリ容量が記録媒体１４の空きメモリ容量より小さい場合（Ｎｏ）、ＳＴＥＰ２に移行する。その後、図１２のフローチャートと同様の動作を行う。このように動作することで、記録媒体１４の空きメモリ容量より大きいメモリ容量と予測されるコンテンツの録画予約が行われたとき、録画不可能であることを示すことができる。
【００６４】
尚、本実施形態において、ＳＴＥＰ１において録画予約情報が入力されるとき、メモリ２２に格納された記録媒体１４の空きメモリ容量が表示部２４ａに表示されるようにして、ユーザが記録できる空きメモリ容量を確認できるようにしても構わない。又、このとき、メモリ２２に格納された記録媒体１４の空きメモリ容量より録画可能な時間を演算し、表示部２４ａに表示するようにしても構わない。
【００６５】
更に、ＳＴＥＰ４０３において、録画予約したコンテンツが録画不可能であることを表示した後、図１９のフローチャートに示すような動作を行うものとしても構わない。即ち、メモリ２２内の録画予約テーブルに格納されて録画予約情報が読み出されて（ＳＴＥＰ５０１）、ＳＴＥＰ１で入力された録画予約情報と共に、表示部２４ａに表示され（ＳＴＥＰ５０２）、削除する録画予約情報が選択される（ＳＴＥＰ５０３）。このとき、録画予約テーブル内の録画予約情報が削除されるか否かを確認する（ＳＴＥＰ５０４）。
【００６６】
そして、録画予約テーブル内の録画予約情報が削除される情報として選択されると（Ｙｅｓ）、まず、選択された録画予約情報がメモリ２２内の録画予約テーブルから削除される（ＳＴＥＰ５０５）。この削除された録画予約情報の使用メモリ容量を、メモリ２２に格納した記録媒体１４の空きメモリ容量に加算して、新たに記録媒体１４の空きメモリ容量として更新する（ＳＴＥＰ５０６）。そして、削除後の録画予約テーブルを確認して、最も早い時刻となる録画開始時刻を認識し、この最も早い時刻となる録画開始時刻を警告用時刻として更新した後（ＳＴＥＰ５０７）、ＳＴＥＰ４０２に移行して、更新された空きメモリ容量と予測メモリ容量とが比較される。又、ＳＴＥＰ５０４において、入力された録画予約情報が削除される情報として選択されると（Ｎｏ）、入力された録画予約情報が削除される情報を削除し（ＳＥＴＰ５０８）、動作を終了する。
【００６７】
このように、図１９のフローチャートのような動作を行う場合において、更に、再生装置２ａが記録装置１に接続されているときに、録画予約するコンテンツの予測メモリ容量が空きメモリ容量より大きい場合、記録装置１のメモリ１５内のコンテンツ参照用テーブルにおける録画予約情報を確認するものとしても構わない。このとき、録画予約するコンテンツの予測メモリ容量が空きメモリ容量より大きいと、入力された録画予約情報又はメモリ１５内のコンテンツ参照用テーブルにおける録画予約情報が選択されて、削除される。
【００６８】
又、第１〜第３の実施形態において、記録装置１がＥＰＧ（Electric Program Guide）を記録媒体１４又はメモリ１５に記録するとともに、再生装置２，２ａに対して、記録装置１と接続したときの現在時刻以降のＥＰＧの内容を転送するものとしても構わない。このとき、再生装置２，２ａがメモリ２２にＥＰＧを格納するとともに、録画予約情報が入力されるときＥＰＧを読み出すことで、そのコンテンツ名及びメモリ使用容量を確認することができる。よって、録画予約されたコンテンツに対して、より正確なメモリ使用容量を予測することができるとともに、各テーブルに番組名などのコンテンツ名を格納することができる。更に、記録装置１がアンテナより放送信号を受信するものとしたが、ケーブルや光ファイバやＤＳＬ（Digital Subscriber Line）回線などと有線接続され、この有線接続された回線より受信するものとしても構わない。
【産業上の利用可能性】
【００６９】
本発明の映像記録再生装置は、ハードディスクやＤＶＤなどの記録媒体にコンテンツを記録する記録装置と、記録装置に記録されたコンテンツを再生する再生装置とが分離することが可能な装置に適用可能である。又、ノートパソコンやＰＤＡ（Personal Digital Assistant）や携帯電話などの携帯型の端末装置を再生装置とするような映像記録再生装置に適用可能である。
【図面の簡単な説明】
【００７０】
【図１】は、第１〜第３の実施形態の映像記録再生装置の構成を示す図である。
【図２】は、第１の実施形態の映像記録再生装置における記録装置の内部構成を示すブロック図である。
【図３】は、第１の実施形態の映像記録再生装置における再生装置の内部構成を示すブロック図である。
【図４】は、記録装置におけるコンテンツ参照用テーブル内の状態を示す図である。
【図５】は、記録装置における録画後のコンテンツ参照用テーブル内の状態を示す図である。
【図６】は、再生装置におけるコンテンツデータテーブル内の状態を示す図である。
【図７】は、再生装置における録画予約テーブル内の状態を示す図である。
【図８】は、録画予約動作時における図３の再生装置の動作を示すフローチャートである。
【図９】は、データ転送時における図３の再生装置の動作を示すフローチャートである。
【図１０】は、データ転送時における図２の記録装置の動作を示すフローチャートである。
【図１１】は、第２の実施形態の映像記録再生装置における再生装置の内部構成を示すブロック図である。
【図１２】は、録画予約動作時における図１１の再生装置の動作を示すフローチャートである。
【図１３】は、図１１の再生装置の警告切換動作を示すフローチャートである。
【図１４】は、第２の実施形態における再生装置の表示例を示す図である。
【図１５】は、第２の実施形態における再生装置の別の表示例を示す図である。
【図１６】は、第３の実施形態のデータ転送時における記録装置の動作を示すフローチャートである。
【図１７】は、第３の実施形態のデータ転送時における再生装置の動作を示すフローチャートである。
【図１８】は、第３の実施形態の録画予約動作時における再生装置の動作を示すフローチャートである。
【図１９】は、第３の実施形態の録画予約動作時における再生装置の動作の別例を示すフローチャートである。
【符号の説明】
【００７１】
１    記録装置
２，２ａ    再生装置
１１    アンテナ
１２    チューナ
１３    エンコーダ
１４    記録媒体
１５    メモリ
１６    タイマ
１７    ＣＰＵ
１８    Ｉ／Ｆ
１９    バス
２１    Ｉ／Ｆ
２２    メモリ
２３    デコーダ
２４ａ    表示部
２４ｂ    音声部
２５    操作部
２６    ＣＰＵ
２７    ＬＥＤ
２８    バス
２９    タイマ
【図１】
2005286537.tif 000003
【図２】
2005286537.tif 000004
【図３】
2005286537.tif 000005
【図４】
2005286537.tif 000006
【図５】
2005286537.tif 000007
【図６】
2005286537.tif 000008
【図７】
2005286537.tif 000009
【図８】
2005286537.tif 000010
【図９】
2005286537.tif 000011
【図１０】
2005286537.tif 000012
【図１１】
2005286537.tif 000013
【図１２】
2005286537.tif 000014
【図１３】
2005286537.tif 000015
【図１４】
2005286537.tif 000016
【図１５】
2005286537.tif 000017
【図１６】
2005286537.tif 000018
【図１７】
2005286537.tif 000019
【図１８】
2005286537.tif 000020
【図１９】
2005286537.tif 000021